(57)【要約】  本開示の態様は、複数の物品をパッケージングするためのカートン、及びそのカートンを形成するためのブランクに関する。カートンは、少なくとも１つの物品を受容するための内部を画定する複数のパネルを備える。パネルは、上部パネル、一対の側部パネル、及び底部パネルを含む。側部パネルのうちの少なくとも１つは、少なくとも１つの物品の底部分を受容するための開口部を有する。カートンは、上部パネルと側部パネルのうちの少なくとも１つとの間のヒンジ接続部に沿って配置された少なくとも２つの切断要素を含む緩衝装置を更に備える。少なくとも２つの切断要素の各々は、上部パネルと一方の側部パネルとの間のヒンジ接続部を形成するライン要素とは別である。
2021505487.tif 000002
【特許請求の範囲】
【請求項１】
１又は複数の物品をパッケージングするためのカートンであって、前記カートンは、少なくとも１つの物品を受容するための内部を画定する複数のパネルを備え、前記パネルが、上部パネル、一対の側部パネル、及び底部パネルを含み、前記一対の側部パネルのうちの少なくとも一方が、前記少なくとも１つの物品の底部分を受容するための開口部を有し、前記カートンは、前記上部パネルと前記一対の側部パネルのうちの前記少なくとも一方との間のヒンジ接続部に沿って配置された少なくとも２つの切断要素を含む緩衝装置を更に備え、前記少なくとも２つの切断要素の各々が、前記ヒンジ接続部を形成するライン要素とは別であり、前記少なくとも２つの切断要素が、ブリッジ部分が前記少なくとも２つ切断要素の間に配置されるようにして互いに隣接して配置されており、前記ブリッジ部分が、前記ブリッジ部分と前記開口部とが、前記ヒンジ接続部に垂直に延在する共通の概念的なラインに概ね沿って配置されるようにして、前記開口部の上に配置されている、カートン。
【請求項２】
前記少なくとも２つの切断要素の各々が、切れ目線から形成される、請求項１に記載のカートン。
【請求項３】
前記少なくとも２つの切断要素のうちの第１の切断要素の第１の部分が、前記少なくとも２つの切断要素のうちの第２の切断要素の第１の部分と同一線上に配置されている、請求項２に記載のカートン。
【請求項４】
前記第１の切断要素の前記第１の部分と前記第２の切断要素の前記第１の部分とが、前記ヒンジ接続部と同一線上に配置されている、請求項３に記載のカートン。
【請求項５】
前記第１の切断要素の第２の部分が、前記第１の切断要素の前記第１の部分に対して末広がりになるように配置されている、請求項３に記載のカートン。
【請求項６】
前記第２の切断要素の第２の部分が、前記第２の切断要素の前記第１の部分に対して末広がりになるように配置されている、請求項３に記載のカートン。
【請求項７】
前記少なくとも２つの切断要素の各々が、実質的にＬ字形になっている、請求項２に記載のカートン。
【請求項８】
前記少なくとも２つの切断要素のうちの第１の切断要素の少なくとも一部分、及び、前記少なくとも２つの切断要素のうちの第２の切断要素の少なくとも一部分が、前記ヒンジ接続部に対して横方向に延在している、請求項２に記載のカートン。
【請求項９】
前記少なくとも２つの切断要素のうちの第１の切断要素の少なくとも一部分、及び、前記少なくとも２つの切断要素のうちの第２の切断要素の少なくとも一部分が、前記ヒンジ接続部に対して末広がりになるように配置されている、請求項２に記載のカートン。
【請求項１０】
前記第１の切断要素の前記少なくとも一部分、及び前記第２の切断要素の前記少なくとも一部分が、前記上部パネルと前記一対の側部パネルのうちの前記少なくとも一方とのうちの少なくとも一方に設けられている、請求項９に記載のカートン。
【請求項１１】
前記少なくとも２つの切断要素の各々が、前記上部パネルと前記一対の側部パネルのうちの前記少なくとも一方との間の前記ヒンジ接続部を途切れさせている、請求項１に記載のカートン。
【請求項１２】
前記上部パネルに設けられた提げ手を備える、請求項１に記載のカートン。
【請求項１３】
カートンを形成するためのブランクであって、前記ブランクは、前記カートンの内部を画定する複数のパネルを備え、前記パネルが、上部パネル、一対の側部パネル、及び底部パネルを含み、前記一対の側部パネルのうちの少なくとも一方が、少なくとも１つの物品の底部分を受容するための開口部を有し、前記ブランクは、前記上部パネルと前記一対の側部パネルのうちの前記少なくとも一方との間のヒンジ接続部に沿って配置された少なくとも２つの切断要素を含む緩衝装置を更に備え、前記少なくとも２つの切断要素の各々が、前記ヒンジ接続部を形成するライン要素とは別であり、前記少なくとも２つの切断要素が、ブリッジ部分が前記少なくとも２つ切断要素の間に配置されるようにして互いに隣接して配置されており、前記ブリッジ部分と前記開口部とが、前記ヒンジ接続部に垂直に延在する共通の概念的なラインに概ね沿って配置される、ブランク。
【請求項１４】
１又は複数の物品をパッケージングするためのカートンであって、前記カートンは、少なくとも１つの物品を受容するための内部を画定する複数のパネルを備え、前記パネルが、上部パネル、一対の側部パネル、及び底部パネルを含み、前記一対の側部パネルのうちの少なくとも一方が、前記少なくとも１つの物品の底部分を受容するための開口部を有し、前記カートンは、前記上部パネルと前記一対の側部パネルのうちの前記少なくとも一方との間のヒンジ接続部の近くに配置された少なくとも２つの切断要素を含む緩衝装置を更に備え、前記少なくとも２つの切断要素の各々が、前記ヒンジ接続部を形成するライン要素とは別であり、前記少なくとも２つの切断要素が、ブリッジ部分が前記少なくとも２つ切断要素の間に配置されるようにして互いに隣接して配置されており、前記ブリッジ部分が、前記ブリッジ部分と前記開口部とが、前記ヒンジ接続部に垂直に延在する共通の概念的なラインに概ね沿って配置されるようにして、前記開口部の上に配置されている、カートン。
【発明の詳細な説明】
【技術分野】
【０００１】
本発明は、カートンおよびそれを形成するためのブランクに関する。より具体的には（ただし、専用ではないが）、本発明は、カートンの損傷を軽減するためのデバイスを有するラップアラウンドキャリアに関する。
【背景技術】
【０００２】
パッケージの技術分野では、複数の物品を運ぶためのカートンを提供することが知られている。カートンは当該技術分野で周知であり、消費者が消費するために物品群を運送したり、保管したり、物品群にアクセスしたりすることができるようにするのに役立つ。コストと環境を考慮して、そのようなカートンまたはキャリアはできるだけ少ない材料で形成する必要があり、それらが形成される材料の無駄をできるだけ少なくする必要がある。さらに考慮すべきことは、カートンの強度、および、そのカートンが重量の大きい物品を保持したり運送したりするのに適していることである。カートンの内容物がカートンの中で確保されていることが望ましい。
【０００３】
出荷環境の厳しさに耐えるために、丈夫であって十分な耐久性があるカートンを生産することが望ましい。
【発明の概要】
【発明が解決しようとする課題】
【０００４】
本発明は、典型的には板紙などから形成されるカートンの分野における改善を提供することを目的とする。
【課題を解決するための手段】
【０００５】
本発明の第１の態様は、１又は複数の物品をパッケージングするためのカートンを提供する。カートンは、少なくとも１つの物品を受容するための内部を画定する複数のパネルを備える。パネルは、上部パネル、一対の側部パネル、及び底部パネルを含む。側部パネルのうちの少なくとも１つは、少なくとも１つの物品の底部分を受容するための開口部を有する。カートンは、上部パネルと側部パネルのうちの少なくとも１つとの間のヒンジ接続部の近くに、又はヒンジ接続部に沿って配置された少なくとも２つの切断要素を含む緩衝装置を更に備える。少なくとも２つの切断要素の各々は、上部パネルと一方の側部パネルとの間のヒンジ接続部を形成するライン要素とは別である。少なくとも２つの切断要素は、ブリッジ部分が少なくとも２つ切断要素の間に配置されるようにして互いに隣接して配置されている。ブリッジ部分は、ブリッジ部分と開口部とが、ヒンジ接続部に垂直に延在する共通の概念的なラインに概ね沿って配置されるようにして、開口部の上に配置されている。
【０００６】
任意で、少なくとも２つの切断要素の各々は、切れ目線から形成される。
【０００７】
任意で、第１の切断要素の切れ目線の少なくとも第１の部分は、第２の切断要素の切れ目線の少なくとも第１の部分と同一線上に配置されている。
【０００８】
任意で、第１の切断要素の切れ目線の前記第１の部分と第２の切断要素の切れ目線の前記第１の部分とは、上部パネルと一方の側部パネルとの間のヒンジ接続部と同一線上に配置されている。
【０００９】
任意で、第１の切断要素の切れ目線の第２の部分は、第１の切断要素の第１の部分に対して末広がりになるように配置されている。
【００１０】
任意で、第２の切断要素の切れ目線の第２の部分は、第２の切断要素の第１の部分に対して末広がりになるように配置されている。
【００１１】
任意で、切れ目線は、実質的にＬ字形になっている。
【００１２】
任意で、第１の切断要素の切れ目線の少なくとも一部分、及び、第２の切断要素の切れ目線の少なくとも一部分は、上部パネルと一方の側部パネルとの間のヒンジ接続部に対して横方向に配置されている。
【００１３】
任意で、第１の切断要素の切れ目線の少なくとも一部分、及び、第２の切断要素の切れ目線の少なくとも一部分は、上部パネルと一方の側部パネルとの間のヒンジ接続部に対して末広がりになるように配置されている。
【００１４】
任意で、第１の切断線及び第２の切断線の前記一部分は、上部パネルと一方の側部パネルとのうちの少なくとも１つに設けられている。
【００１５】
任意で、少なくとも２つの切断要素の各々は、上部パネルと一方の側部パネルとの間のヒンジ接続部を途切れさせている。
【００１６】
任意で、カートンは、上部パネルに設けられた提げ手を備える。
【００１７】
本発明の第２の態様は、カートンを形成するブランクを提供する。ブランクは、カートンの内部を画定するための複数のパネルを備える。パネルは、上部パネル、一対の側部パネル、及び底部パネルを含む。側部パネルのうちの少なくとも１つは、少なくとも１つの物品の底部分を受容するための開口部を有する。ブランクは、上部パネルと側部パネルのうちの少なくとも１つとの間のヒンジ接続部の近くに、又はヒンジ接続部に沿って配置された少なくとも２つの切断要素を含む緩衝装置を更に備える。少なくとも２つの切断要素の各々は、上部パネルと一方の側部パネルとの間のヒンジ接続部を形成するライン要素とは別である。少なくとも２つの切断要素は、ブリッジ部分が少なくとも２つ切断要素の間に配置されるようにして互いに隣接して配置されている。ブリッジ部分と開口部とが、ヒンジ接続部に垂直に延在する共通の概念的なラインに概ね沿って配置される。
【００１８】
本出願の範囲内で、前の段落、請求項および／または以下の説明および図面に記載された様々な態様、実施形態、実施例、特徴および代替案は、独立してまたはそれらの任意の組み合わせで取られ得ることが想定される。例えば、一実施形態に関連して説明された特徴は、特徴の非互換性がない限り、すべての実施形態に適用可能である。
【００１９】
ここで、本発明の実施形態を、添付の図面を参照して説明する。
【図面の簡単な説明】
【００２０】
【図１】図１は、第１の実施形態に係るカートンを形成するためのブランクの上からの平面図である。
【図２】図２は、図１のブランクから形成されるカートンの上からの斜視図である。
【図３】図３は、第２の実施形態に係るカートンを形成するためのブランクの上からの平面図である。
【図４】図４は、図３のブランクから形成されるカートンの上からの斜視図である。
【発明を実施するための形態】
【００２１】
パッケージ、ブランク、及びカートンの具体的な実施形態の詳細な説明が開示されている。開示された実施形態は、本発明の特定の態様を実施することができる方法の単なる例であり、本発明を実施することができるすべての方法の余すところない一覧を表すものではないことが理解されよう。本明細書で使用される場合、「例示的」という用語は、例示、標本、モデル、またはパターンとして機能する実施形態を言及するために広範に使用される。実際、本明細書に記載されているパッケージ、ブランク、およびカートンは、様々な代替形態で具体化され得ることが理解されよう。図面は必ずしも縮尺どおりではなく、一部の機能は特定のコンポーネントの詳細を示すために誇張または最小化されている場合があります。  本開示を不明瞭にすることを避けるために、周知の構成要素、材料、または方法は、必ずしも非常に詳細に記載されているわけではない。本明細書に開示される特定の構造的および機能的詳細は、限定として解釈されるべきではなく、単に請求項の基礎として、および当業者に本発明を様々に使用するように教えるための代表的な基礎として解釈されるべきである。
【００２２】
図１を参照すると、図２に示されているように飲料缶など（ただし、これに限定されない。以下、物品Ｂと称する。）の一次製品群を入れて運ぶための、図２に示されているようなカートン、又はキャリア９０を形成できるブランク１０の平面図が示されている。ブランク１０は、少なくとも１つの一次製品の容器又はパッケージをパッケージングするための二次パッケージを形成する。
【００２３】
図３は、飲料缶など（ただし、これに限定されない。以下、物品Ｂと称する。）の一次製品群を入れて運ぶための、図４に示されているようなカートン、又はキャリア１９０を形成できるブランク１１０の平面図を示す。ブランク１１０は、少なくとも１つの一次製品の容器又はパッケージをパッケージングするための二次パッケージを形成する。
【００２４】
本明細書に詳細に説明された実施形態では、「カートン」及び「キャリア」という用語は、本発明の様々な特徴を例示する非限定的な目的のために、一次製品容器Ｂなどの物品Ｂに係合して運ぶための容器９０、１９０を指している。本発明の教示は、テーパー状および／または円筒状であってもなくてもよい様々な製品容器Ｂに適用できると考えられる。他の例示的な容器としては、ボトル（例えば、金属製、ガラス製またはプラスチック製のボトル）、缶（例えば、アルミニウム缶）、ブリキ缶、カップ、ポット、パウチ、パケットなどが挙げられる。
【００２５】
ブランク１０、１１０は、一枚の適切な基板から形成される。本明細書で使用される場合、「適切な基板」という用語は、板紙、段ボール、ボール紙、プラスチック、それらの組み合わせなどのあらゆる種類の折り曲げ可能なシート材料を含むことを理解されたい。例えば、以下により詳細に説明されるキャリア構造を提供するために適切である場合、１つまたは他の数のブランクが使用されてもよいことが認識されるべきである。
【００２６】
本明細書に説明されるパッケージ構造、又はカートン９０、１９０は、板紙などのシート材料から形成されてもよく、シート材料は、その強度を高めるための材料で作成されたりコーティングされたりしてもよい。このようなシート材料の例は、ＷｅｓｔＲｏｃｋ  Ｃｏｍｐａｎｙ製の耐引裂性のＮＡＴＲＡＬＯＣＫ（登録商標）という板紙である。耐引裂性材料は、パッケージの耐引裂性を改善するのを助けるために、複数の層によって提供されてもよいことに留意されたい。典型的には、シート材料の一方の表面は、他方の表面とは異なる特性を有してもよい。例えば、完成したパッケージの外側に面するシート材料の表面は、特に滑らかであってもよく、クレイコーティングなどのコーティング、又は良好な印刷適性を提供するための他の表面処理を有してもよい。その一方で、内側に面するシート材料の表面には、コーティング、層、処理が施されていてもよいし、さもなければ、耐引裂性、良好な接着性、ヒートシール性、又はその他の望ましい機能特性を提供するために準備されていてもよい。
【００２７】
図示された実施形態では、ブランク１０、１１０は、例示的な配置構成の例示的な物品Ｂをパッケージングするためのキャリア９０、１９０を形成するように構成されている。図示された実施形態における配置構成は、２行（ｍ＝２）および３列（ｎ＝３）を有するｍ×ｎマトリックスまたはアレイであり、図示された実施形態では、３つの物品Ｂの２つの列が提供され、物品Ｂは５００ｍｌの飲料缶である。あるいは、ブランク１０、１１０は、他のタイプ、数およびサイズの物品Ｂをパッケージングするための、および／または、異なる配置もしくは構成、例えば完全に取り囲まれたカートン又はバスケットキャリア（ただし、これに限定されない。）で、ボトルや缶であってもよい物品Ｂをパッケージングするための、キャリアを形成するように構成されることもできる。
【００２８】
図１に戻ると、第１の実施形態に係るカートン９０（図２を参照）を形成するためのブランク１０が図示されている。ブランク１０は、管状構造を形成するための複数のメインパネル１２、１４、１６、１８、２０、２２、２４を備える。複数のメインパネル１２、１４、１６、１８、２０、２２、２４は、第１のベースパネル１２、第１のコーナーパネル１４、第１の側部パネル１６、上部パネル１８、第２の側部パネル２０、第２のコーナーパネル２２、及び第２のベースパネル２４を備える。複数のパネル１２、１４、１６、１８、２０、２２、２４は、対応する折り曲げ線１３、１５、１７、１９、２１、２３によって次々とヒンジ結合されて直線的に一連に配置されてもよい。
【００２９】
代替の実施形態では、第１及び第２のコーナーパネル１４、２２は省略されてもよく、折り曲げ線１５、２１は省略されてもよい。
【００３０】
第１及び第２のコーナーパネル１４、２２は、第１又は第２の側部パネル１６、２０のそれぞれの下部を形成すると考えられてもよく、或いは、それらがヒンジ接続されている第１又は第２のベースパネル１２、２４のそれぞれの下部を形成すると考えられてもよい。
【００３１】
ブランク１０は、図２に図示されたパッケージ９０を形成するように折り曲げ可能である。第１及び第２のベースパネル１２、２４は、カートン９０の複合ベース壁１２／２４を形成するために、重なり合う関係で互いに係合可能である。ブランク１０は、第２のベースパネル２４を第１のベースパネル１２に固定する相補的なロック機構を備えてもよい。第２のベースパネル２４は、相補的なロック機構の少なくとも１つの第１の部分Ｆを備えてもよい。第１のベースパネル１２は、相補的なロック機構の少なくとも１つの第２の部分Ｍを備えてもよい。図示された実施形態では、第２のベースパネル２４は、第２のベースパネル２４に開口部を画定する複数の雌型タブＦを備える。第１のベースパネル１２は、複数の雄型タブＭを備え、第２のベースパネル２４の開口部は、雄型タブＭのそれぞれ１つを受容するように構成されている。雌型タブＦは、第２のベースパネル２４から外されて開口部を形成し、そこに受容されたときに雄型タブＭに当接するように配置されている。いくつかの実施形態では、相補的なロック機構Ｍ／Ｆが省略されてもよく、第１及び第２のベースパネル１２、２４が、粘着剤やステープルなど（ただし、これに限定されない）の他の手段によって互いに固定されてもよい。
【００３２】
任意で、第１及び第２のベースパネル１２、２４は、少なくとも１つの第１の開口Ａ１を備えてもよい。図示された実施形態では、第１及び第２のベースパネル１２、２４の各々が、２つの第１の開口Ａ１を備える。任意で、第１及び第２のベースパネル１２、２４は、少なくとも１つの第２の開口Ａ２を備えてもよい。図示された実施形態では、第１及び第２のベースパネル１２、２４の各々が、１つの第２の開口Ａ２を備える。第１及び第２の開口Ａ１、Ａ２は、カートン９０の組み立てを容易にするために使用されてもよい。パッケージングマシンのコンポーネントが、複数のパネル１２、１４、１６、１８、２０、２２、２４で物品群Ｂを巻き締めることを可能にするために、第１及び第２の開口Ａ１、Ａ２と係合してもよい。また、第１及び第２の開口Ａ１、Ａ２は、第１及び第２のベースパネル１２、２４の相互の位置合わせを容易にしたり、若しくは相補的なロック機構の第１の部分を相補的なロック機構の第２の部分に位置合わせしたりするために使用されてもよい。図示されて説明された相補的なロック機構は全くの任意である。
【００３３】
ブランク１０は、物品Ｂのヒール部又は下部と係合するための少なくとも１つのヒール係合構造Ｎを備えてもよい。図１に図示されたブランク１０は、各物品Ｂと係合するためにそれぞれ設けられた６つのヒール係合構造Ｎを備える。それぞれのヒール係合構造Ｎは、構造が実質的に類似しており、第１の側部パネル１６に設けられたヒール係合構造Ｎを参照して説明される。
【００３４】
ヒール係合構造Ｎは、開口部を備えてもよい。開口部は、一部がヒール開口Ａ３により、一部がヒールタブ４２により画定される。ヒールタブ４２は、折り曲げ線４３によって第１のベースパネルにヒンジ接続されている。ヒールタブ４２は、第１のコーナーパネル１４から打ち出されている。
【００３５】
折り曲げ線４３は、第１のベースパネル１２を第１のコーナーパネル１４にヒンジ接続している折り曲げ線１３を途切れさせている。折り曲げ線４３は、非線形であってもよく、図示された実施形態では、折り曲げ線４３は、湾曲または弓形であり、他の実施形態では、折り曲げ線４３は、互いに対して末広がりになるように配置されて互いに連続する少なくとも２つの直線状の折り曲げ線から形成されてもよい。
【００３６】
ヒールタブ４２は、末広がりになるように配置された一対の折り曲げ線４５ａ、４５ｂを備えてもよく、それらの折り曲げ線４５ａ、４５ｂは、ヒールタブ４２の折り曲げ可能なコーナー部分を画定してもよい。
【００３７】
上部パネル１８は、任意のハンドル構造Ｈを備えてもよい。ハンドル構造Ｈは、一対の折り曲げ可能なフィンガータブ５２を備える。フィンガータブ５２は、互いに離間している。フィンガータブ５２は、折り曲げ線５３によって上部パネル１８にヒンジ接続され、切れ目線、又は切断線５５によって部分的に画定されている。フィンガータブ５２のうちの第１のフィンガータブは、フィンガータブ５２のうちの第２のフィンガータブに対向して上部パネル１８にヒンジ接続されている。
【００３８】
上部パネル１８は、引裂ストリップの形態で任意の取り外し可能な部分Ｄを備えてもよい。取り外し可能な部分Ｄは、第１の引裂線又は切断線６２ａと第２の引裂線又は切断線６２ｂとによって画定される。第１及び第２の切断線６２ａ、６２ｂは、上部パネル１８に亘って概ね長手方向に延在している。第２の切断線６２ｂは、第１の切断線６２ａから側方に離間している。プルタブ６０ａ、６０ｂの形態の引裂開始デバイスは、引裂ストリップの各端部に設けらてもよい。プルタブ６０ａ、６０ｂは、各折り曲げ線６１ａ、６１ｂによって引裂ストリップにヒンジ接続されており、且つ、弱化ラインによって部分的に画定されてもよく、弱化ラインは、第１及び第２の切断線６２ａ、６２ｂよりも容易に引き裂かれ、すなわち、弱化ラインは第１及び第２の切断線６２ａ、６２ｂよりも小さい耐引裂性を呈している。
【００３９】
取り外し可能な部分Ｄは、カートン９０を取り除く際に、カートン９０の内容物である物品Ｂへのアクセスを容易にし得る。
【００４０】
上部パネル１８、側部パネル１６、２０、ベースパネル１２、２４の各々には、一対の切り抜き部又は凹部が形成されていてもよい。切り抜き部は、ブランク１０の両端の縁部に画定される。切り抜き部は、完全な又は主要な切り抜き部７０、７０ａ、７０ｃおよび部分的な又はマイナーな切り抜き部７０ｂを備える。
【００４１】
第１の切り抜き部７０は、その両端の縁部の各々に沿って上部パネル１８における中間付近に画定されている。第２の切り抜き部７０ａは、第１の側部パネル１６の各端の縁部に画定されている。第３の切り抜き部７０ｃは、第２の側部パネル２０の各端の縁部に画定されている。
【００４２】
部分的な又はマイナーな切り抜き部７０ｂは、第１及び第２のベースパネル１２、２４の各々の両端の縁部の各々に画定されている。
【００４３】
その結果、ブランク１０には、切り抜き部７０、７０ａ、７０ｂ、７０ｃのうちの隣り合う切り抜き部の間にそれぞれ介在する４つのタブ７２、７２ａ、７２ｂ、７２ｃが、ブランクの長手方向のいずれの縁部にも沿って設けられている。
【００４４】
図１に図示されているように、第１の上タブ７２は、隣り合わせに配置された第１及び第３の切り抜き部７０、７０ｃによって挟まれて画定されている。第２の上タブ７２ａは、第１及び第２の切り抜き部７０、７０ａによって挟まれて画定されている。第１の下タブ７２ｂは、第２の切り抜き部７０ａによって、且つ、部分的な切り抜き部７０ｂのうち、第１のベースパネル１２に画定された第１の切り抜き部によって挟まれて画定されている。第２の下タブ７２ｃは、第３の切り抜き部７０ｃによって、且つ、部分的な切り抜き部７０ｂのうち、第２のベースパネル２４に画定された第２の切り抜き部によって挟まれて画定されている。
【００４５】
第１の上タブ７２は、隣り合う折り曲げ線１９に跨って位置付けられている。第２の上タブ７２ａは、隣り合う折り曲げ線１７に跨って位置付けられている。
【００４６】
第１の下タブ７２ｂは、隣り合う折り曲げ線１３、１５に跨って位置付けられている。第２の下タブ７２ｃは、隣り合う折り曲げ線２１、２３に跨って位置付けられている。
【００４７】
完全な又は主要な切り抜き部７０、７０ａ、７０ｃは、隣接して配置された同様又は相似のブランクのタブ７２、７２ａ、７２ｃのうちの適切なサイズのタブを収めることができる。
【００４８】
部分的な又はマイナーな切り抜き部７０ｂの各々は、図１に図示されたブランク１０の端と端とを合わせて配置された後続の又は先行する第２のブランク（図示せず）の部分的な又はマイナーな切り抜き部７０ｂと協働して、隣接する第３のブランク（図示せず）の適切なサイズのタブ７２、７２ａ、７２ｂ、７２ｃを収めることができるボイド又は切り抜き部が提供されるようになっており、第３のブランクは、図１のブランク１０と並んで配置される（任意で、ブランク１０の長手方向の縁部少なくとも一部分が、第３のブランクの長手方向の縁部の少なくとも一部分と共有されたり共通であってもよい）。第１のブランク１０からの第１の部分的な切り抜き部７０ｂと第２のブランクからの第２の部分的な切り抜き部７０ｂは、第３のブランクの単一のタブ７２、７２ａ、７２ｂ、７２ｃを収めるために必要である。このようにして、２つの部分的な切り抜き部７０ｂは、完全な切り抜き部を形成すると考えられてもよい。
【００４９】
第１及び第２の上タブ７２、７２ａの各々は、前記ブランク１０が組み立てられてカートン９０になったときに、カートン９０の内容物がカートン９０から外れるのを防止するための端部保持構造を形成するか、又は形成するのを助ける。第１及び第２の上タブ７２、７２ａの各々には、切れ目線および折り曲げ線が設けられており、折り曲げ線に沿って折り曲げらえたときに上部係合構造を形成する。
【００５０】
より具体的には、各上タブ７２、７２ａは、折り曲げ線２５ａ、３５ｂ、３９ａ、３９ｂに沿って隣り合う側部パネル１６、２０にヒンジ接続されたアンカー部分２６ａ、２６ｂ、３６ａ、３６ｂを備える。各上タブ７２、７２ａは、折り曲げ線２７ａ、２７ｂ、３７ａ、３７ｂに沿ってアンカー部分２６ａ、２６ｂ、３６ａ、３６ｂにヒンジ接続されたガセット部分２８ａ、２８ｂ、３４ａ、３４ｂを備える。
【００５１】
各上タブ７２、７２ａは、折り曲げ線１７、１９のそれぞれの延長線２９ａ、２９ｂ、３５ａ、３５ｂに沿ってガセット部分２８ａ、２８ｂ、３４ａ、３４ｂにヒンジ接続されたウェブ部分３０ａ、３０ｂ、３２ａ、３２ｂを備える。各上タブ７２、７２ａは、上部パネル１８と一体的に形成されるカバー部分８０ａ、８０ｂ、８２ａ、８２ｂを備える。各ウェブ部分３０ａ、３０ｂ、３２ａ、３２ｂは、折り曲げ線３１ａ、３１ｂ、３３ａ、３３ｂによってそれぞれのカバー部分８０ａ、８０ｂ、８２ａ、８２ｂにヒンジ接続される。
【００５２】
任意の開口Ａ４は、一部分が上部パネル１８から、一部分が第１又は第２の側部パネル１６、２０から、一部分が上タブ７２、７２ａから打ち出されてもよい。開口Ａ４は、折り曲げ線１７、１９、２９ａ、２９ｂ、３５ａ、３５ｂ、３１ａ、３１ｂ、３３ａ、３３ｂ、２７ａ、２７ｂ、３７ａ、３７ｂ、２５ａ、３５ｂ、３９ａ、３９ｂの各々の末端を画定し、上記の折り曲げ線の概念的な集束点に配置されている。
【００５３】
各上タブ７２、７２ａの折り曲げは、カートンを組み立てている間に達成される。各上タブ７２、７２ａから上部係合構造を形成するため、アンカー部分２６ａ、２６ｂ、３６ａ、３６ｂが約１８０度折り曲げられ、隣り合う側部パネル１６、２０の内側表面と面接触関係にする。アンカー部分２６ａ、２６ｂ、３６ａ、３６ｂは、隣り合う側部パネル１６、２０に対してパッケージされた物品Ｂの１つによって押されることによって、折り曲げられた位置に保持される。アンカー部分２６ａ、２６ｂ、３６ａ、３６ｂの折り曲げにより、ガセット部分２８ａ、２８ｂ、３４ａ、３４ｂが折り曲げ線２７ａ、２７ｂ、３７ａ、３７ｂ周りで外方へ折り曲げられ、それによって、ガセット部分２８ａ、２８ｂ、３４ａ、３４ｂが、包装された１つの物品Ｂの側壁に沿って折り曲げ線２７ａ、２７ｂ、３７ａ、３７ｂから外向きに延在するようになる。同時に、ウェブ部分３０ａ、３０ｂ、３２ａ、３２ｂは、折り曲げ線３１ａ、３１ｂ、３３ａ、３３ｂに沿って下向きに折り曲げられ、それによって、折り曲げ線３１ａ、３１ｂ、３３ａ、３３ｂとガセット部分２８ａ、２８ｂ、３４ａ、３４ｂの外縁との間を延在する折り曲げ位置となる。このようにして完成した上部係合構造は、１つの物品Ｂの上部にしっかりと係合するような構造が示されている図２に図示されている。
【００５４】
各下タブ７２ｂ、７２ｃは、隣り合う最も端のヒール開口Ａ３が画定される十分な材料を提供するように機能する。特に、各下タブ７２ｂ、７２ｃに隣り合うヒール開口Ａ３は、ヒール開口Ａ３がその下タブ７２ｂ、７２ｃの中に延在するときでさえ、十分な材料がヒール開口Ａ３を取り囲むように配置される。ブランク１０は、組み立てて物品Ｂをパーケージングする間、各ヒール開口Ａ３がそれぞれの物品Ｂの底部を受容してカートン９０内に前記物品Ｂを保持するように扱われる。また、ヒールタブ４２は物品Ｂを保持するのを助けるために折り曲げられる。
【００５５】
ブランク１０は、緩衝装置を備える。第１の緩衝デバイス又は減衰デバイスＧが、カートン９０内を伝播する衝撃力などの力（ただし、これに限定されない。）を減衰させたり吸収したりするために設けられている。
【００５６】
第１の減衰デバイスＧは、一対の切断要素を備える。各切断要素は、例えば切れ目線や切断線１７ａ、１７ｂの形態をとってもよい。切断要素は、互いに離間しており、それらの間に刻み目や接続ブリッジ部分Ｐ１を画定するようになっている。切れ目線１７ａ、１７ｂはそれぞれ、形状が直線状である。第１の切れ目線１７ａは、第２の切れ目線１７ｂと同一線上になるように配置されている。第１及び第２の切れ目線１７ａ、１７ｂは、第１の側部パネル１６を上部パネル１８に結合する折り曲げ線１７に対して同一線上に配置されている。
【００５７】
ブランク１０は、カートン９０内を伝播する衝撃力などの力（ただし、これに限定されない。）を減衰させたり吸収したりするための第２の減衰デバイスＧを備える。
【００５８】
第２の減衰デバイスＧは、互いに離間している一対の切れ目線又は切断線１９ａ、１９ｂを備えており、それらの間に刻み目や接続ブリッジ部分Ｐ２を画定するようになっている。切れ目線１９ａ、１９ｂはそれぞれ、形状が直線状である。第３の切れ目線１９ａは、第４の切れ目線１９ｂと同一線上になるように配置されている。第３及び第４の切れ目線１９ａ、１９ｂは、第２の側部パネル２０を上部パネル１８に結合する折り曲げ線１９に対して同一線上に配置されている。
【００５９】
切断要素（切れ目線１７ａ、１７ｂ、１９ａ、１９ｂ）は、上部パネル１８と第１及び第２の側部パネル１６、２０のうちのそれぞれ１つとの間のそれぞれのヒンジ接続部（折り曲げ線１７、１９）から共通の概念的なライン「ｙ」（図２を参照）の方向にずらされてもよい。このようにして、切れ目線１７ａ、１７ｂ、１９ａ、１９ｂは、上部パネル１８内や側部パネル１６、２０内に設けられてもよい。他の実施形態では、このようにして、切れ目線１７ａ、１７ｂ、１９ａ、１９ｂが、上部パネル１８及び側部パネル１６、２０に設けられてもよい。切れ目線１７ａ、１７ｂ、１９ａ、１９ｂは、それぞれのヒンジ接続部に平行であってもよく、及び／又は、前記したそれぞれのヒンジ接続部の近くに配置されてもよい。
【００６０】
図２に図示されたカートン９０の組み立てに戻ると、カートン９０は、直線機における一連の連続的な折り曲げ操作によって形成することができるため、それによって、カートン９０は、その組み立てを完成させるために回転させたり反転させたりする必要がないようになっている。折り曲げ工程は、以下に説明するものに限定されず、特定の製造要件に従って変更されてもよい。
【００６１】
物品群Ｂが組み立てられ、図２に図示された実施形態では、６つの物品が２×３のアレイに配置されている。ブランク１０の上部パネル１８は、カートン９０の上壁１８を提供するために物品群Ｂの上に配置される。
【００６２】
第１及び第２の側部パネル１６、２０は、カートン９０の第１及び第２の側壁１６、２０を形成するために物品群Ｂの両側面の周りに配置されるように、物品群Ｂの両側面の周りに上部パネル１８に対して折り曲げ線１７、１９周りでそれぞれ折り曲げられる。
【００６３】
第１及び第２の側部パネル１６、２０が上部パネル１８に対して折り曲げられて上述した上部係合構造を形成するように、アンカー部分２６ａ、２６ｂ、３６ａ、３６は、第１及び第２の側部パネル１６、２０のそれぞれと面接触関係になるように実質的に同時に折り曲げられてもよい。
【００６４】
あるいは、上部係合構造は、カートン９０を管状形態に組み立てた後に形成されてもよい。アンカー部分２６ａ、２６ｂ、３６ａ、３６は、それらにヒンジ接続されている第１及び第２の側部パネル１６、２０のそれぞれと、隣り合わせに配置された物品Ｂとの間に挟み込まれてもよい。
【００６５】
第１及び第２のコーナーパネル１４、２２は、隣り合わせに配置された物品Ｂのヒール部や下部の周りで、第１及び第２の側部パネル１６、２０のそれぞれに対して折り曲げ線１５、２１周りでそれぞれ折り曲げられる。
【００６６】
ヒールタブ４２は、第１及び第２のコーナーパネル１４、２２を第１及び第２の側部パネル１６、２０のそれぞれに対して折り曲げる前に、第１及び第２のコーナーパネル１４、２２の平面から折り曲げ線４３周りに折り曲げられてもよい。
【００６７】
第１のベースパネル１２は、物品群Ｂのベースに隣接して配置されるように折り曲げ線１３周りに折り曲げられ、次に、第２のベースパネル２４は、第１のベースパネル１２と少なくとも部分的に重なる関係になるように折り曲げ線２３周りに折り曲げられ、そうすることで、ヒールタブ４２の各々が、それぞれの物品Ｂのベースと係合させてもよい。
【００６８】
第１及び第２のベースパネル１２、２４は共に固定される。雄型タブＭの各々は、第２のベースパネル２４の平面から内方へ外される。そうすることで、雌型タブＦの各々が内方へ外され、第１のベースパネル１２に対応する開口部が作り出される。雄型タブＭは、第１及び第２のベースパネル１２、２４を共にロックするように、開口部の各々の中に受け入れられる。このようにして、物品群Ｂの周りに管状構造が形成される。
【００６９】
図２には、組み立てられたカートン９０が示されている。第１及び第２の減衰装置Ｇは、上部パネル１８の折り曲げ線１７、１９によって画定されて両側縁に沿って示されている。第１及び第２の接続ブリッジ部分Ｐ１、Ｐ２は、上部パネル１８の側縁に沿って中央に配置される。第２の接続ブリッジ部分Ｐ２は、第２の接続ブリッジ部分Ｐ２および中央開口部が、折り曲げ線１７、１９に対して垂直に延びる共通の概念的なライン「ｙ」に概ね沿って配置されるように、中央開口部、ヒール開口Ａ３の上に配置されている。
【００７０】
第１の接続ブリッジ部分Ｐ１は、カートン９０内の物品Ｂの第１の列の第１の物品Ｂに隣接して配置され、図示された実施形態では、前記第１の物品Ｂは中央の物品Ｂである。第２の接続ブリッジ部分Ｐ２は、カートン９０内の物品Ｂの第２の列の第２の物品Ｂに隣接して配置され、図示された実施形態では、前記第２の物品Ｂは中央の物品Ｂである。
【００７１】
ここで図３および４を参照すると、本開示の代替の実施形態が示されている。例示された代替の実施形態では、可能な場合、同様の数字が同様の部分を示すために使用されているが、これらの特徴が第２の実施形態に属することを示すために「１００」が追加されている。代替の実施形態は、図１及び図２の実施形態と多くの共通の特徴を共有しており、したがって、図１及び図２に示された実施形態との相違点のみが、さらに詳細に説明される。
【００７２】
図４は、第２の実施形態によるブランク１１０を図示している。ブランク１１０は、管状構造を形成するための複数のメインパネル１１２、１１４、１１６、１１８、１２０、１２２、１２４を備える。複数のメインパネル１１２、１１４、１１６、１１８、１２０、１２２、１２４は、第１のベースパネル１１２、第１のコーナーパネル１１４、第１の側部パネル１１６、上部パネル１１８、第２の側部パネル１２０、第２のコーナーパネル１２２および第２のベースパネル１２４を備える。複数のパネル１１２、１１４、１１６、１１８、１２０、１２２、１２４は、対応する折り曲げ線１１３、１１５、１１７、１１９、１２１、１２３によって次々とヒンジ結合されて直線的に一連に配置されてもよい。
【００７３】
ブランク１１０は、カートン１９０内を伝播する衝撃力などの力（ただし、これに限定されない。）を減衰させたり吸収したりするための第１の減衰デバイスＧを備える。
【００７４】
第１の減衰デバイスＧは、互いに離間している一対の切れ目線又は切断線１１７ａ、１１７ｂを備え、それらの間に第１の刻み目や接続ブリッジ部分Ｐ１が画定されるようになっている。切れ目線１１７ａ、１１７ｂはそれぞれ、形状が非直線状である。切れ目線１１７ａ、１１７ｂは、実質的にＬ字形になっていてもよい。第１の切れ目線１１７ａは、第１の直線部分を備える。第１の切れ目線１１７ａは、第２の直線部分を備え、第２の直線部分は、第１の直線部分に対して末広がりになるように配置されている。任意で、第２の直線部分は、第１の直線部分と連続していてもよい。
【００７５】
第１の切れ目線１１７ａの第１の直線部分は、第１の側部パネル１１６を上部パネル１１８に結合する折り曲げ線１１７と同一線上になっていてもよい。
【００７６】
第１の切れ目線１１７ａの第２の直線部分は、上部パネル１１８に画定されている。第１の切れ目線１１７ａの第２の直線部分は、第１の側部パネル１１６を上部パネル１１８に結合する折り曲げ線１１７に対して横向きであり、任意で折り曲げ線１１７に対して垂直である。
【００７７】
第１の切れ目線１１７ａの第２の直線部分は、第１の側部パネル１１６を上部パネル１１８に結合する折り曲げ線１１７から上部パネル１１８の中へと延在している。
【００７８】
第１の切れ目線１１７ａの第２の直線部分は、第１の切れ目線１１７ａの第１の直線部分の最も内側の端部から延在している。第１の切れ目線１１７ａの第１の直線部分の最も内側の端部は、第１の接続ブリッジ部分Ｐ１の近くにあるか、又は第１の接続ブリッジ部分Ｐ１に隣接している。
【００７９】
第２の切れ目線１１７ｂは、第１の直線部分を備える。第２の切れ目線１１７ｂは第２の直線部分を備え、第２の切れ目線１１７ｂの第２の直線部分は、第２の切れ目線１１７ｂの第１の直線部分に対して末広がりになるように配置されている。任意で、第２の切れ目線１１７ｂの第２の直線部分は、第１の直線部分と連続していてもよい。
【００８０】
第２の切れ目線１１７ｂの第１の直線部分は、第１の側部パネル１１６を上部パネル１１８に結合する折り曲げ線１１７と同一線上であってもよい。
【００８１】
第２の切れ目線１１７ｂの第２の直線部分は、上部パネル１１８に画定されている。第２の切れ目線１１７ｂの第２の直線部分は、第１の側部パネル１１６を上部パネル１１８に結合する折り曲げ線１１７に対して横向きであり、任意で、折り曲げ線１１７に対して垂直である。
【００８２】
第２の切れ目線１１７ｂの第２の直線部分は、第１の側部パネル１１６を上部パネル１１８に結合する折り曲げ線１１７から上部パネル１１８の中へ延在している。
【００８３】
第２の切れ目線１１７ｂの第２の直線部分は、第２の切れ目線１１７ｂの第１の直線部分の最も内側の端部から延在している。第２の切れ目線１１７ｂの第１の直線部分の最も内側の端部は、第１の接続ブリッジ部分Ｐ１の近くにあるか、又は第１の接続ブリッジ部分Ｐ１に隣接している。このようにして、第１及び第２の切れ目線１１７ａ、１１７ｂの第２の直線部分は、第１の接続ブリッジ部分Ｐ１の両縁を画定している。
【００８４】
第１の切れ目線１１７ａの第２の直線部分は、第２の切れ目線１１７ｂの第２の直線部分に実質的に平行であってもよい。
【００８５】
図示された実施形態では、第１の切れ目線１１７ａの第１の直線部分は、第２の切れ目線１１７ｂの第１の直線部分と同一線上に配置されている。第１及び第２の切れ目線１１７ａ、１１７ｂの第１の直線部分は、第１の側部パネル１１６を上部パネル１１８に結合する折り曲げ線１１７に対して同一線上に配置されている。
【００８６】
ブランク１１０は、カートン１９０内を伝播する衝撃力などの力（ただし、これに限定されない。）を減衰させたり吸収したりするための第２の減衰デバイスＧを備える。
【００８７】
第２の減衰デバイスＧは、互いに離間している一対の切れ目線又は切断線１１９ａ、１１９ｂを備え、それらの間に第２の刻み目や接続ブリッジ部分Ｐ２が画定されるようになっている。
【００８８】
切れ目線１１９ａ、１１９ｂはそれぞれ、形状が非直線状である。切れ目線１１９ａ、１１９ｂは、実質的にＬ字形になっていてもよい。第３の切れ目線１１９ａは、第１の直線部分を備える。第３の切れ目線１１９ａは、第２の直線部分を備え、第２の直線部分は、第１の直線部分に対して末広がりになるように配置されている。任意で、第２の直線部分は、第１の直線部分と連続していてもよい。
【００８９】
第３の切れ目線１１９ａの第１の直線部分は、第２の側部パネル１２０を上部パネル１１８に結合する折り曲げ線１１９と同一線上になっていてもよい。
【００９０】
第３の切れ目線１１９ａの第２の直線部分は、上部パネル１１８に画定されている。第３の切れ目線１１９ａの第２の直線部分は、第２の側部パネル１２０を上部パネル１１８に結合する折り曲げ線１１９に対して横向きであり、任意で折り曲げ線１１９に対して垂直である。  
【００９１】
第３の切れ目線１１９ａの第２の直線部分は、第２の側部パネル１２０を上部パネル１１８に結合する折り曲げ線１１９から上部パネル１１８の中へと延在している。
【００９２】
第３の切れ目線１１９ａの第２の直線部分は、第３の切れ目線１１９ａの第１の直線部分の最も内側の端部から延在している。第３の切れ目線１１９ａの第１の直線部分の最も内側の端部は、第２の接続ブリッジ部分Ｐ２の近くにあるか、又は第２の接続ブリッジ部分Ｐ２に隣接している。
【００９３】
第４の切れ目線１１９ｂは、第１の直線部分を備える。第４の切れ目線１１９ｂは第２の直線部分を備え、第４の切れ目線１１９ｂの第２の直線部分は、第４の切れ目線１１９ｂの第１の直線部分に対して末広がりになるように配置されている。任意で、第４の切れ目線１１９ｂの第２の直線部分は、第１の直線部分と連続していてもよい。
【００９４】
第４の切れ目線１１９ｂの第１の直線部分は、第２の側部パネル１２０を上部パネル１１８に結合する折り曲げ線１１９と同一線上であってもよい。
【００９５】
第４の切れ目線１１９ｂの第２の直線部分は、上部パネル１１８に画定されている。第４の切れ目線１１９ｂの第２の直線部分は、第２の側部パネル１２０を上部パネル１１８に結合する折り曲げ線１１９に対して横向きであり、任意で、折り曲げ線１１９に対して垂直である。
【００９６】
第４の切れ目線１１９ｂの第２の直線部分は、第２の側部パネル１２０を上部パネル１１８に結合する折り曲げ線１１９から上部パネル１１８の中へ延在している。
【００９７】
第４の切れ目線１１９ｂの第２の直線部分は、第４の切れ目線１１９ｂの第１の直線部分の最も内側の端部から延在している。第４の切れ目線１１９ｂの第１の直線部分の最も内側の端部は、第２の接続ブリッジ部分Ｐ２の近くにあるか、又は第２の接続ブリッジ部分Ｐ２に隣接している。このようにして、第３及び第４の切れ目線１１９ａ、１１９ｂの第２の直線部分は、第２の接続ブリッジ部分Ｐ２の両縁を画定している。
【００９８】
第３の切れ目線１１９ａの第２の直線部分は、第４の切れ目線１１９ｂの第２の直線部分に実質的に平行であってもよい。
【００９９】
図示された実施形態では、第３の切れ目線１１９ａの第１の直線部分は、第４の切れ目線１１９ｂの第１の直線部分と同一線上に配置されている。第３及び第４の切れ目線１１９ａ、１１９ｂの第１の直線部分は、第２の側部パネル１２０を上部パネル１１８に結合する折り曲げ線１１９に対して同一線上に配置されている。
【０１００】
切断要素（切れ目線１１７ａ、１１７ｂ、１１９ａ、１１９ｂ）は、上部パネル１１８と第１及び第２の側部パネル１１６、１２０のうちのそれぞれ１つとの間のそれぞれのヒンジ接続部（折り曲げ線１１７、１１９）から共通の概念的なライン「ｙ」の方向にずらされてもよい。このようにして、切れ目線１１７ａ、１１７ｂ、１１９ａ、１１９ｂの第１の直線部分は、上部パネル１１８内や側部パネル１１６、１２０内に設けられてもよい。他の実施形態では、このようにして、切れ目線１１７ａ、１１７ｂ、１１９ａ、１１９ｂの第１の直線部分が、上部パネル１１８及び側部パネル１１６、１２０に設けられてもよい。切れ目線１１７ａ、１１７ｂ、１１９ａ、１１９ｂの第１の直線部分は、それぞれのヒンジ接続部に平行であってもよく、及び／又は、前記したそれぞれのヒンジ接続部の近くに配置されてもよい。
【０１０１】
図４には、ブランク１１０から形成されるカートン１９０が示されており、第１及び第２の減衰装置Ｇが上部パネル１１８に示されている。第１及び第２の接続ブリッジ部分Ｐ１、Ｐ２は、上部パネル１１８の折り曲げ線１１７、１１９によって画定された両側の縁に沿って中央に配置される。第２の接続ブリッジ部分Ｐ２は、第２の接続ブリッジ部分Ｐ２および中央開口部が、折り曲げ線１１７、１１９に対して垂直に延びる共通の概念的なライン「ｙ」に概ね沿って配置されるように、中央開口部、ヒール開口Ａ３の上に配置されている。
【０１０２】
第１の接続ブリッジ部分Ｐ１は、カートン１９０内の物品Ｂの第１の列の第１の物品Ｂに隣接して配置され、図示された実施形態では、前記第１の物品Ｂは中央の物品Ｂである。第２の接続ブリッジ部分Ｐ２は、カートン１９０内の物品Ｂの第２の列の第２の物品Ｂに隣接して配置され、図示された実施形態では、前記第２の物品Ｂは中央の物品Ｂである。
【０１０３】
落下試験、衝撃試験、ジャーク試験などの試験において、カートン９０、１９０に第１および第２の減衰装置Ｄを設けることでヒール開口Ａ３からの引き裂き伝播が軽減されることが分かった。テストでは、接続ブリッジ部分Ｐ１、Ｐ２が裂けたり破損したりする。第１及び第２の切れ目線１７ａ、１７ｂ、１１７ａ、１１７ｂ間で、若しくは、第３及び第４の切れ目線１９ａ、１９ｂ、１１９ａ、１１９ｂ間で、又は、第１及び第２の切れ目線１７ａ、１７ｂ、１１７ａ、１１７ｂ間ならびに第３及び第４の切れ目線１９ａ、１９ｂ、１１９ａ、１１９ｂ間で、引き裂きが伝播する。
【０１０４】
接続ブリッジ部分Ｐ１、Ｐ２の切断は、ヒール開口Ａ３の周りのカートンの側壁１６、２０、１１６、１２０の下部領域における力を低減する効果を有すると考えられる。これは、エネルギー散逸が原因である可能性があり、またはカートン９０、１９０の他の領域に分散、誘導、または偏向されるエネルギーまたは力が原因である可能性がある。
【０１０５】
切断要素の各々は、上部パネル１８、１１８と第１及び第２の側部パネル１６、２０、１１６、１２０のそれぞれとの間のそれぞれのヒンジ接続部に沿った最大寸法または最大長さを有してもよく、それは３．５ｍｍから５．５ｍｍの範囲にある。一実施形態では、切断要素の各々は、少なくとも４．５ｍｍのそれぞれのヒンジ接続部に沿った長さを有してもよい。別の実施形態では、切断要素のそれぞれは、約４．５ｍｍのそれぞれのヒンジ接続部に沿って測定された長さを有してもよい。他の実施形態では、切断要素は、提げ手Ｈの強度または耐荷重性能を損なうことなく、所望の緩衝効果をもたらす代替の寸法を有してもよい。
【０１０６】
カートン９０、１９０の組み立て前に切断要素間に画定された刻み目やカットフリー領域（接続ブリッジ部分Ｐ１、Ｐ２）は、第１又は第２の側部パネル１６、２０、１１６、１２０を所定位置に沿って上部パネル１８、１１８に対して折り曲げるのを規定したり容易にしたりするための例えばエンボス、デボス、又はその他のラインなどの任意の形態の折目規定デバイスが無くてもよい。刻み目、カットフリー領域、又は、接続ブリッジ部分Ｐ１、Ｐ２は、第１又は第２の側部パネル１６、２０、１１６、１２０と上部パネル１８、１１８との間の途切れの無い接続部を提供してもよい。
【０１０７】
図示された実施例では、ヒンジ接続部、折り曲げ線１７、１９、１１７、１１９は、シート材料のエンボスまたはデボスとして形成される。切断要素は、エンボスまたはデボスを途切れさせる切断線１７ａ、１７ｂ、１９ａ、１９ｂ、１１７ａ、１１７ｂ、１１９ａ、１１９ｂとして形成される。
【０１０８】
組み立てれたカートン９０、１９０において、刻み目、カットフリー領域、接続ブリッジ部分Ｐ１、Ｐ２は、曲げられたり、変形したり、折り曲げられたりしていることが認識されるであろう。
【０１０９】
それぞれの切断要素の間に形成された刻み目やカットフリー領域（接続ブリッジ部分Ｐ１、Ｐ２）の各々は、３．０ｍｍから７．０ｍｍの範囲のそれぞれのヒンジ接続部に沿った最大寸法または最大長さを有してもよい。一実施形態では、接続ブリッジ部分Ｐ１、Ｐ２の各々は、少なくとも５．０ｍｍのヒンジ接続部に沿った寸法を有してもよい。別の実施形態では、接続ブリッジ部分Ｐ１、Ｐ２の各々は、約５．０ｍｍのそれぞれのヒンジ接続部に沿って測定された寸法を有してもよい。
【０１１０】
他の実施形態では、接続ブリッジ部分Ｐ１、Ｐ２は、ハンドルの使用時にかかる負荷に耐えるのに十分な強さとなるように十分な大きさであり、且つ、破損して所望の緩衝効果をもたらすのに十分な弱さとなるように十分な小ささである代替寸法を有してもよい。
【０１１１】
カートン９０、１９０は、１６ポイントから１８ポイントの範囲のキャリパー（厚さ）の板紙から構成されてもよい（ここで、１ポイント＝０．００１インチまたは０．０２５４ｍｍである）。
【０１１２】
一実施例では、カートン９０、１９０は、１６ポイント（約０．４ｍｍ）のキャリパーを有する板紙から構成され、３５０ｍｌの容量を持つ６つの飲料缶をパッケージングした。
【０１１３】
別の実施例では、カートン９０、１９０は、１８ポイントのキャリパー（約０．４６ｍｍ）を有する板紙から構成され、５００ｍｌの容量を持つ６つの飲料缶をパッケージングした。
【０１１４】
本開示は、物品Ｂをパッケージングするためのカートン９０を提供する。カートン９０は、ブランク１０、１１０、２１０、３１０から形成され、このブランクは、カートン９０を形成する同様のブランクと入れ子にすることができる。
【０１１５】
カートン９０、１９０は、少なくとも１つの物品Ｂを受容するための内部を画定するための複数のパネル１２、１４、１１６、１８、２０、２２、２４、１１２、１１４、１１６、１１８、１２０、１２２、１２４を備え、パネルは、上部パネル１８、１１８、一対の側部パネル１６、２０、１１６、１２０、及び底部パネル１２／２４、１１２／１２４を含む。側部パネル１６、２０、１１６、１２０のうちの少なくとも１つは、少なくとも１つの物品Ｂの底部分を受容するための開口部Ａ３を有する。カートン９０、１９０は、緩衝装置を更に備え、緩衝装置は、上部パネル１８、１１８と側部パネル１６、２０、１１６、１２０のうちの少なくとも１つとの間のヒンジ接続部１７、１９、１１７、１１９の近くに又はヒンジ接続部１７、１９、１１７、１１９に沿って配置された少なくとも２つ切断要素１７ａ／１７ｂ、１９ａ／１９ｂ、１１７ａ／１１７ｂ、１１９ａ／１１９ｂを含み、少なくとも２つ切断要素１７ａ／１７ｂ、１９ａ／１９ｂ、１１７ａ／１１７ｂ、１１９ａ／１１９ｂの各々は、上部パネル１８、１１８と側部パネル１６、２０、１１６、１２０のうちの一方との間のヒンジ接続部１７、１９、１１７、１１９を形成するライン要素とは別であり、すなわち、少なくとも２つ切断要素１７ａ／１７ｂ、１９ａ／１９ｂ、１１７ａ／１１７ｂ、１１９ａ／１１９ｂは、ヒンジ接続部１７、１９、１１７、１１９を構成するライン要素とはサイズ及び／又は形状が異なり、少なくとも２つ切断要素１７ａ／１７ｂ、１９ａ／１９ｂ、１１７ａ／１１７ｂ、１１９ａ／１１９ｂは、刻み目又はカットフリー領域を形成するように隣り合わせに配置され、接続ブリッジ部分Ｐ１、Ｐ２が少なくとも２つ切断要素１７ａ／１７ｂ、１９ａ／１９ｂ、１１７ａ／１１７ｂ、１１９ａ／１１９ｂの間に配置され、接続ブリッジ部分Ｐ１、Ｐ２及び開口部Ａ３は、ヒンジ接続部１７、１９、１１７、１１９に対して垂直に延在する共通の概念的なライン「ｙ」に概ね沿って配置されている。
【０１１６】
カートン９０、１９０は、上部パネル１８、１１８に設けられた提げ手Ｈを備えてもよい。
【０１１７】
ブランク１０、１１０は、複数の凹部を有する長手方向縁部を備え、複数の凹部の間にタブが画定される。凹部は、ブランク１０を同様のブランク１０、１１０と入れ子にすることができるように配置されてもよい。タブは、カートン９０、１９０の上側及び下側のコーナー部分を提供する。
【０１１８】
本発明の範囲内で様々な変更を行うことができることを理解することができる。例えば、パネルおよび開口のサイズおよび形状は、異なるサイズまたは形状の物品を収容できるように調整されてもよい。
【０１１９】
いくつかの実施形態では、切断要素は、例えば、半分または部分的な深さの切れ目線、開口部、切り欠き、スロット、スリット、または開口など（ただし、これに限定されない）の異なる形態を呈してもよい。切断要素は、耐引裂性を低減するか、そうでなければシート材料を局所的に弱化させる効果を有する他の方法で形成されてもよい。
【０１２０】
切断要素は代替的な形状を有してもよく、例えば、切れ目線、またはその少なくとも一部は、「Ｊ」、「Ｃ」、「Ｓ」、「Ｚ」、「３」または「Ｅ」の形を有してもよい（ただし、これに限定されない。）。切断要素は、楕円形、長方形、または他の細長い形状の開口の形態を呈してもよい。切断要素、切れ目線、又は開口は、例えば、切断要素を超えて引き裂きが伝播する可能性を低減するように丸めた形状の外端を有してもよく、一方、切断要素の内端は、接続ブリッジ部分Ｐ１、Ｐ２の切断を容易にしたり促進したりするような形にしてもよい。
【０１２１】
刻み目又は接続部分Ｐ１、Ｐ２のサイズ又は寸法、及び／又は、切断要素や切れ目線１７ａ、１７ｂ、１９ａ、１９ｂ、１１７ａ、１１７ｂ、１１９ａ、１１９ｂのサイズ又は寸法は、缶すなわち物品Ｂのサイズ及び／又は重量に応じて調整されてもよい。
【０１２２】
本明細書で使用される場合、「上」、「底」、「ベース」、「前」、「後」、「端」、「側部」、「内」、「外」、「上」、及び「下」などの方向の言及は、それぞれのパネルを必ずしもそのような向きに限定するものではないが、単にこれらのパネルを互いに区別するのに役立つ場合があることが認識されるであろう。
【０１２３】
本明細書で使用される場合、「ヒンジ接続部」および「折り曲げ線」という用語は、ブランクの部分を互いに対して折り曲げるのを容易にしたり、そうでなければ、ブランクのための最適なパネル折り曲げ位置を示したりするブランクのヒンジ特徴を規定するあらゆる種類のラインを指している。「ヒンジ接続部」への言及は、必ずしも単一の折り曲げ線のみを指すと解釈されるべきではなく、実際、ヒンジ接続部は、２つ以上の折り曲げ線から形成することができ、２つ以上の折り曲げ線のそれぞれは、形状が真直ぐ／線形または湾曲／曲線のいずれであってもよい。直線状の折り曲げ線がヒンジ接続部を形成する場合、それらは互いに平行に配置されてもよく、或いは、互いに対してわずかに角度が付けられてもよい。曲線状の折り曲げ線がヒンジ接続部を形成する場合、それらは互いに交差してもよく、曲線状の折り曲げ線で囲まれた領域内に、形作られたパネルが画定される。そのようなヒンジ接続部の典型的な例は、２点で交差する一対のアーチ状または弓形状の折り曲げ線を備えてもよく、それらの線がそれらの間に楕円形パネルを画定するようになっている。ヒンジ接続部は、１又は複数の直線状の折り曲げ線と、１つ以上の１又は複数の曲線状の折り曲げ線とから形成されてもよい。そのようなヒンジ接続部の典型的な例は、直線状の折り曲げ線とアーチ状または弓形状の折り曲げ線との組み合わせを備えてもよく、それらの折り曲げ線は２点で交差して、それらの線がそれらの間に半月形状のパネルを画定するようになっている。
【０１２４】
本明細書で使用される場合、「折り曲げ線」という用語は、スコア線、エンボス線、デボス線、ミシン目線、短いスリットの線、ハーフカットの線、単一のハーフカット、途切れた切れ目線、一列に整列したスリットの線、複数のスコアの線、及び、前述の選択肢の任意の組み合わせのうちのいずれかを指してもよい。
【０１２５】
ヒンジ接続部および折り曲げ線はそれぞれ、穿孔、ミシン目の線、短いスリットの線、ハーフカットの線、単一のハーフカット、切れ目線、途切れた切れ目線、スリット、スコア、及びそれらの任意の組み合わせなどを含む、ブランクの基板に形成された要素を含むことができると理解されたい。要素は、所望の機能を提供するように寸法を決めて配置することができる。例えば、ミシン目の線は、折り曲げ線、及び／又は切断線を画定するために、ある程度の弱さで寸法決めされたり設計されたりできる。ミシン目の線は、折り曲げを容易にし、且つ破損に抵抗するように設計することができ、折り曲げを容易にし、且つより多くの労力での破損を促進したりより少ない労力での破損をより簡単に破損を容易にするように、または少ない労力での破損を促進したりする。
【０１２６】
本明細書で使用される「レジストリ」という語句は、組み立てられたカートン内の２つ以上の要素（例えば２つの重なり合うパネルの第１のパネルに形成される開口および２つの重なり合うパネルの第２のパネルに形成される第２の開口）の位置合わせを指している。互いにレジストリするこれらの要素は、重なり合うパネルの厚さの方向に互いに位置合わせされてもよい。たとえば、第１のパネルの開口が、第１のパネルと重なり合う配置で置かれた第２のパネルの第２の開口と「レジストリ」する場合、開口の縁は、縁の少なくとも一部に沿って延在してもよく、第１及び第２のパネルの厚さの方向に第２の開口と位置合わせされてもよい。
【符号の説明】
【０１２７】
１０   ブランク
１２   第１のベースパネル
１３   折り曲げ線
１４   第１のコーナーパネル
１５   折り曲げ線
１６   第１の側部パネル
１７   折り曲げ線（ヒンジ接続部）
１７ａ 切断線（切れ目線）
１７ｂ 切断線（切れ目線）
１８   上部パネル
１９   折り曲げ線（ヒンジ接続部）
１９ａ 切断線（切れ目線）
１９ｂ 切断線（切れ目線）
２０   第２の側部パネル
２１   折り曲げ線
２２   第２のコーナーパネル
２３   折り曲げ線
２４   第２のベースパネル
２５ａ 折り曲げ線
２６ａ アンカー部分
２６ｂ アンカー部分
２７ａ 折り曲げ線
２７ｂ 折り曲げ線
２８ａ ガセット部分
２８ｂ ガセット部分
２９ａ 延長線
２９ｂ 延長線
３０ａ ウェブ部分
３０ｂ ウェブ部分
３１ａ 折り曲げ線
３１ｂ 折り曲げ線
３２ａ ウェブ部分
３２ｂ ウェブ部分
３３ａ 折り曲げ線
３３ｂ 折り曲げ線
３４ａ ガセット部分
３４ｂ ガセット部分
３５ａ 延長線
３５ｂ 延長線
３６   アンカー部分
３６ａ アンカー部分
３６ｂ アンカー部分
３７ａ 折り曲げ線
３７ｂ 折り曲げ線
３９ａ 折り曲げ線
３９ｂ 折り曲げ線
４２   ヒールタブ
４３   折り曲げ線
４５ａ 折り曲げ線
４５ｂ 折り曲げ線
５２   フィンガータブ
５３   折り曲げ線
５５   切断線
６０ａ プルタブ
６０ｂ プルタブ
６１ａ 折り曲げ線
６１ｂ 折り曲げ線
６２ａ 第１の切断線
６２ｂ 第２の切断線
７０   切り抜き部
７０ａ 切り抜き部
７０ｂ 切り抜き部
７０ｃ 切り抜き部
７２   第１の上タブ
７２ａ 第２の上タブ
７２ｂ 第１の下タブ
７２ｃ 第２の下タブ
８０ａ カバー部分
８０ｂ カバー部分
８２ａ カバー部分
８２ｂ カバー部分
９０   カートン
１１０ ブランク
１１２ 第１のベースパネル
１１３ 折り曲げ線
１１４ 第１のコーナーパネル
１１５ 折り曲げ線
１１６ 第１の側部パネル
１１７ 折り曲げ線（ヒンジ接続部）
１１７ａ      切断線（切れ目線）
１１７ｂ      切断線（切れ目線）
１１８ 上部パネル
１１９ 折り曲げ線（ヒンジ接続部）
１１９ａ      切断線（切れ目線）
１１９ｂ      切断線（切れ目線）
１２０ 第２の側部パネル
１２１ 折り曲げ線
１２２ 第２のコーナーパネル
１２３ 折り曲げ線
１２４ 第２のベースパネル
１９０ カートン
【図１】
2021505487.tif 000003
【図２】
2021505487.tif 000004
【図３】
2021505487.tif 000005
【図４】
2021505487.tif 000006
【国際調査報告】
2021505487.tif 000007
2021505487.tif 000008